【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
入射光を分光する分光フィルターと、
前記分光フィルターにより分光された光を撮像し、分光画像を取得する撮像部と、
画像出力装置のプロファイルを作成するためのプロファイル作成用データを出力するデータ出力部と、
を備え、
前記データ出力部は、前記撮像部が、前記画像出力装置から出力された複数色のカラーパッチを含むカラーパターンに対する複数の分光画像を取得した場合に、前記複数の分光画像における複数の画素の各々における光量と、前記複数の画素の各々の座標値とを対応づけた測定データを前記プロファイル作成用データとして出力することを特徴とする分光測定装置。
【請求項２】
請求項１に記載の分光測定装置において、
前記分光フィルターは、第一反射膜と、前記第一反射膜に対向して設けられた第二反射膜と、
を備え、
前記第一反射膜と前記第二反射膜とで光を干渉させ特定の波長の光を取り出す波長可変干渉フィルターであることを特徴とする分光測定装置。
【請求項３】
請求項２に記載の分光測定装置において、
前記波長可変干渉フィルターは、前記第一反射膜が設けられた第一基板と、前記第一基板に対向し、前記第二反射膜が設けられた第二基板と、前記第一反射膜と前記第二反射膜との間のギャップ寸法を変更するギャップ変更部と、を備えることを特徴とする分光測定装置。
【請求項４】
請求項１に記載の分光測定装置において、
前記分光フィルターは、
第一基板と、
前記第一基板に対向する第二基板と、
前記第一基板に設けられた第一反射膜と、
前記第二基板に設けられ、前記第一反射膜に対向する第二反射膜と、
電圧印加により前記第二基板を前記第一基板の側に撓ませて、前記第一反射膜と前記第二反射膜との間のギャップ寸法を変化させるギャップ変更部と、を備えることを特徴とする分光測定装置。
【請求項５】
請求項１から請求項４のいずれかに記載の分光測定装置において、
前記入射光を取り込むための入射光取込部と、
前記入射光取込部を囲んで配置され、前記カラーパターンが表示された表示面に押し当てられることで外光を遮光する押し当て部と、を備えることを特徴とする分光測定装置。
【請求項６】
請求項５に記載の分光測定装置において、
前記押し当て部の内側に配置され、前記表示面に光を出射する光源を備えることを特徴とする分光測定装置。
【請求項７】
請求項１から請求項６のいずれかに記載の分光測定装置において、
前記分光フィルターに前記入射光を導くテレセントリック光学系を備えることを特徴とする分光測定装置。
【請求項８】
請求項１から請求項７のいずれかに記載の分光測定装置において、
前記撮像部は、前記複数色のカラーパッチの各々を複数の画素で撮像することを特徴とする分光測定装置。
【請求項９】
請求項１から請求項８のいずれかに記載の分光測定装置において、
動作状況及び測定結果の少なくともいずれかを含む通知を報知する報知部を備えることを特徴とする分光測定装置。
【請求項１０】
請求項１から請求項９のいずれかに記載の分光測定装置と、
前記分光測定装置から出力されたプロファイル作成用データを用いて当該画像出力装置のプロファイルを作成するプロファイル作成部を有するプロファイル作成装置と、を備えたことを特徴とするカラーマネージメントシステム。
【請求項１１】
請求項１０に記載のカラーマネージメントシステムにおいて、
前記プロファイル作成装置は、前記画像出力装置に前記カラーパターンを出力させるパターン出力手段を備え、
前記パターン出力手段は、所定サイズの前記カラーパッチがマトリクス状に配置された前記カラーパターンを出力させる
ことを特徴とするカラーマネージメントシステム。
【請求項１２】
請求項１１に記載のカラーマネージメントシステムにおいて、
前記パターン出力手段は、前記複数色のカラーパッチのうちの１つと前記複数色のカラーパッチのうちの他の１つとの間に基準色が表示された前記カラーパターンを出力させ、
前記分光測定装置は、前記複数の分光画像の各々における前記基準色の画素位置、及び前記複数色のカラーパッチの各々の画素位置を特定し、特定した前記基準色の画素位置の測定データをリファレンスとした前記プロファイル作成用データを出力することを特徴とするカラーマネージメントシステム。
【請求項１３】
請求項１１に記載のカラーマネージメントシステムにおいて、
前記パターン出力手段は、前記複数色のカラーパッチのうちの１つと前記複数色のカラーパッチのうちの他の１つとの間に黒色のラインを配置した前記カラーパターンを出力させることを特徴とするカラーマネージメントシステム。
【請求項１４】
請求項１０から請求項１３のいずれかに記載のカラーマネージメントシステムにおいて、
前記パターン出力手段は、前記カラーパターンを出力する前に、当該カラーパターンの表示領域全体に基準色を配置した基準色画像を表示させ、
前記分光測定装置は、前記基準色画像の測定データをリファレンスとした前記プロファイル作成用データを出力することを特徴とするカラーマネージメントシステム。
【請求項１５】
請求項１４に記載のカラーマネージメントシステムにおいて、
前記分光測定装置は、前記基準色画像を検知する基準色画像検知手段を備え、前記基準色画像が検知されたことをトリガーとして、測定を開始することを特徴とするカラーマネージメントシステム。
【請求項１６】
請求項１０から請求項１４のいずれかに記載のカラーマネージメントシステムにおいて、
前記パターン出力手段は、前記カラーパターンを出力する前に、前記分光測定装置における測定開始を指示する識別画像を表示させ、
前記分光測定装置は、前記識別画像を検知する識別画像検知手段を備え、前記識別画像が検知されたことをトリガーとして、測定を開始することを特徴とするカラーマネージメントシステム。
【請求項１７】
請求項１０から請求項１６のいずれかに記載のカラーマネージメントシステムにおいて、
前記パターン出力手段は、前記分光測定装置の配置位置を指示する指示画像を出力させることを特徴とするカラーマネージメントシステム。
【請求項１８】
請求項１０から請求項１７のいずれかに記載のカラーマネージメントシステムにおいて、
前記パターン出力手段は、前記複数色のカラーパッチのいずれかの配置位置が異なる複数のカラーパターンを順次出力させることを特徴とするカラーマネージメントシステム。
【請求項１９】
請求項１０から請求項１７のいずれかに記載のカラーマネージメントシステムにおいて、
前記パターン出力手段は、前記複数色のカラーパッチの色がそれぞれ異なる複数のカラーパターンを順次出力させることを特徴とするカラーマネージメントシステム。
【請求項２０】
分光される光の波長を変化させながら、画像出力装置から出力された複数色のカラーパッチを含むカラーパターンを撮像し、複数の分光画像を取得する分光画像取得ステップと、
前記複数の分光画像における複数の画素の各々における光量と、前記複数の画素の各々の座標値とを対応づけた測定データをプロファイル作成用データとして出力するデータ出力ステップと、
前記プロファイル作成用データを用いて前記画像出力装置のプロファイルを作成するプロファイル作成ステップと、
を含むことを特徴とするプロファイル作成方法。
【手続補正２】
【補正対象書類名】明細書
【補正対象項目名】０００８
【補正方法】変更
【補正の内容】
【０００８】
本発明の一態様の分光測定装置は、入射光を分光する分光フィルターと、前記分光フィルターにより分光された光を撮像し、分光画像を取得する撮像部と、画像出力装置のプロファイルを作成するためのプロファイル作成用データを出力するデータ出力部と、を備え、前記データ出力部は、前記撮像部が、前記画像出力装置から出力された複数色のカラーパッチを含むカラーパターンに対する複数の分光画像を取得した場合に、前記複数の分光画像における複数の画素の各々における光量と、前記複数の画素の各々の座標値とを対応づけた測定データを前記プロファイル作成用データとして出力することを特徴とする。
上記の本発明に係る分光測定装置は、入射光を分光して所定波長の光を選択し、かつ前記選択する光の波長を変更可能な分光フィルターと、前記分光フィルターにより分光された光を撮像し、分光画像を取得する撮像部と、画像出力装置のプロファイルを作成するためのプロファイル作成用データを出力するデータ出力部と、を備え、前記データ出力部は、前記撮像部により、前記画像出力装置から出力された複数色のカラーパッチを含むカラーパターンに対する複数の分光画像が取得された場合に、各分光画像の各画素における光量と、当該画素の座標値とを対応づけた測定データを前記プロファイル作成用データとして出力することを特徴とする。